(57)【要約】【課題】袋状雨水貯溜容器の外表面に生ずる結露や袋状雨水貯溜容器から漏出する水を集めて下水用等のマスに流出させる。【解決手段】袋状雨水貯溜容器９を、剛性を有する材料からなり、軸断面半円状となすと共に長さ方向の一方側の端部に排水口２１を設けた水受け枠２０内に収容する。該水受け枠２０はその排水口２１が下になるように勾配をつけて設置する。該水受け枠２０の排水口２１にパイプ２２の一端側を接続すると共に該パイプ２２の他端側を下水用等のマス１５内に臨ませる。【選択図】図１
0003146708.tif 000002
【実用新案登録請求の範囲】
【請求項１】
床下に配設し、雨樋から流下する雨水を流入させる所定容量の袋状雨水貯溜容器と、前記袋状雨水貯溜容器内が満水になったときに溢れた水を放出するため下水用等のマス内に臨ませたドレンパイプとからなる床下を活用した雨水貯溜装置において、前記袋状雨水貯溜容器を、剛性を有する材料からなり、軸断面半円状となすと共に長さ方向の一方側の端部に排水口を設けた水受け枠内に収容し、該水受け枠を前記排水口が下になるように勾配をつけて設置し、更に前記水受け枠の排水口にパイプの一端側を接続すると共に、該パイプの他端側を下水用等のマス内に臨ませたことを特徴とする雨水貯溜装置。
【請求項２】
雨樋から流下する雨水を流入させ、これを濾過して清浄にする浄水装置と、床下に配設し、前記浄水装置にパイプを介して接続した所定容量の袋状雨水貯溜容器と、前記袋状雨水貯溜容器にパイプを介して接続した、該袋状雨水貯溜容器内の水を汲み出し、パイプを介して適宜の用途に用いるために送水するポンプと、前記浄水装置に一端側を接続すると共に他端側を下水用等のマス内に臨ませた、前記袋状雨水貯溜容器内が満水になったときに溢れた水を放出するためのドレンパイプとからなる床下を活用した雨水貯溜装置において、前記袋状雨水貯溜容器を、剛性を有する材料からなり、軸断面半円状となすと共に長さ方向の一方側の端部に排水口を設けた水受け枠内に収容し、該水受け枠を前記排水口が下になるように勾配をつけて設置し、更に前記水受け枠の排水口にパイプの一端側を接続すると共に、該パイプの他端側を下水用等のマス内に臨ませたことを特徴とする雨水貯溜装置。
【請求項３】
袋状雨水貯溜容器を複数並設し、該袋状雨水貯溜容器の夫々を浄水装置とポンプに接続してなる請求項１又は２記載の床下を活用した雨水貯溜装置。
【請求項４】
防災無線放送を受信する受信装置を備え、防災無線放送から大雨情報が発せられるとポンプを作動させると共にポンプによって送水するパイプの途中部から分岐するパイプの途中部に設けた電磁弁を切り換えて下水用等のマスに放出し、袋状雨水貯溜容器内を空の状態にするようになした請求項１、２又は３記載の床下を活用した雨水貯溜装置。
【考案の詳細な説明】
【技術分野】
【０００１】
本考案は床下を活用した雨水貯溜装置に関するものである。
【背景技術】
【０００２】
雨水はこれまで一般の家庭において生活を営む上で利用されることは少なかった。即ち、雨水は自然に地面にしみ込むか、或いは下水管等を通って河川に流入し、海に流れだすことが普通であった。
【０００３】
しかし、雨水も水である以上、適宜に処理して生活を営む上で有効利用することができるようにすれば、水道水の使用量を減少させて、節水等に役立つことは明らかである。そしてまた、床下は大きなスペースであり乍ら通常は何ら有効に活用されていない。したがって、このスペースを利用するようにすれば、貯水のために特別なスペースを確保する必要がない。また、長雨が続き、降雨量が増大したときには河川が氾濫し、堤防の決壊を招くこともある。
【０００４】
これらのことから、本考案者は、雨水を生活を営む上で有効利用することができ、而も床下のスペースを利用することによって貯水のための特別なスペースを確保する必要がなく、加えて各家庭において雨水を溜めることにより河川に流入する雨水の量を減少させ、もって堤防の決壊等を防ぐことができるようになした床下を活用した雨水貯溜装置を先に案出した（特許文献１）。
【０００５】
特許文献１において、図３は上記雨水貯溜装置を示すものであり、図中、１００は床下を活用した雨水貯溜装置である。１０１は家屋、１０２は屋根、１０３は雨樋である。１０４は浄水装置であり、前記雨樋１０３からパイプ１０３ａを介して流下する雨水を流入させ、これを濾過して清浄にするものである。また、該浄水装置１０４は、タンク状をなして内部に種類の異なる濾材１０５、１０６を二層にして充填し、上部側壁に設けた雨水流入口１０４ａの内部に網状フィルター１０７を設けている。
【０００６】
１０８は床下１０１ａに配設し、前記浄水装置１０４にパイプ１０９を介して接続した所定容量の袋状雨水貯溜容器である。尚、本実施例において使用する袋状雨水貯溜容器１０８は、直径３０ｃｍ、長さ３〜６ｍである。そしてまた、斯かる袋状雨水貯溜容器１０８を複数並設（図示せず。）し、これらを夫々前記浄水装置１０４と後記ポンプに接続している。
【０００７】
１１０は前記袋状雨水貯溜容器１０８にパイプ１１１を介して接続した、該袋状雨水貯溜容器１０８内の水を汲み出し、パイプ１１２を介して適宜の用途に用いるために送水するポンプである。尚、貯溜した雨水は、例えば植物への散水、洗車、道路への水撒き、トイレの洗浄水、初期消化や防火、熱交換器を用いて温水や冷水にし、冷暖房用給湯に用いる等、生活を営む上で必要な様々な用途に用いるものである。また、該ポンプ１１０は、１００Ｖの電源によって作動し、スイッチがＯＮの状態であれば自動運転するようになしている。
【０００８】
１１３は前記浄水装置１０４の上部側壁に一端側を接続すると共に他端側を下水用等のマス１１４内に臨ませた、前記袋状雨水貯溜容器１０８内が満水になったときに溢れた水を放出するためのドレンパイプである。１１５は防災無線放送を受信する受信装置であり、１１６はその防災無線放送の周波数と合わせた周波数としたアンテナである。１１７は前記ポンプ１１０によって送水するパイプ１１２の途中部から分岐するパイプであり、他端側は前記下水用等のマス１１４内に臨ませている。また１１８は前記パイプ１１７の途中部に設けた電磁弁である。そしてまた、前記受信装置１１５と電磁弁１１８は適宜の電気配線をもって接続しており、受信装置１１５からの信号によって該電磁弁１１８が適宜作動するようにしている。
【０００９】
上記雨水貯溜装置１００にあっては、雨水は雨樋１０３から流下して浄水装置１０４内に流入し、混入しているゴミ等の不純物が網状フィルター１０７と濾材１０５、１０６によって除去され、清浄にされる。そしてまた、このようにして清浄にされた雨水は、パイプ１０９を通って袋状雨水貯溜容器１０８内に入り、ここで貯溜される。そして、必要があるときには、ポンプ１１０を作動させ、この貯溜された雨水を汲み出して使用するものである。また、防災無線放送から大雨警報が発せられると、これを受信した受信装置１１５から信号が送られ、電磁弁１１８が切り換わる。そして袋状雨水貯溜容器１０８内の水を汲み出してパイプ１１２、１１７を経て下水用等のマス１１４に放出するものである。これにより袋状雨水貯溜容器１０８内を空の状態とし、雨水をできる範囲で収容することができるようにするものである。
【００１０】
また、上記雨水貯溜装置と同様に家屋の床下に雨水を貯溜する袋状の貯溜容器を配設した雨水利用装置が特許文献２に開示されている。
【００１１】
【特許文献１】特開２００４−３４６４９６号公報
【特許文献２】特許第３６２７３１５号公報
【考案の開示】
【考案が解決しようとする課題】
【００１２】
上記雨水貯溜装置によれば、所期の目的とするところは充分に達成することができるものであることは理解されていた。しかしながら、実際には幾つかの問題点があるために、殆ど実施されていないのが現状である。それは、袋状雨水貯溜容器１０８内に貯溜した雨水の温度と外気の温度との温度差が大きいと袋状雨水貯溜容器１０８の外表面に結露が生じ、これによって床下の湿度が高くなり、床にひびが入ったり壁にシミができる等の種々の問題が起こることである。また、袋状雨水貯溜容器１０８の経年による自然劣化によってひびが入って漏水したり、或いはネズミ等にかじられて穴があき、漏水したときにおいて、該袋状雨水貯溜容器１０８内に貯溜された２トン以上もの大量の水が床下に流出して水浸しになってしまうことである。
【００１３】
本考案は上記の点に鑑みなされたものであって、袋状雨水貯溜容器の外表面に結露が生じても、また或いは万一該袋状雨水貯溜容器から漏水する事態が発生したとしても、これら結露や漏水を集めて下水用等のマスに流出させ、もって上記の問題点を悉く解消することができるようになした雨水貯溜装置を提供しようとするものである。
【課題を解決するための手段】
【００１４】
而して、本考案の要旨とするところは、床下に配設し、雨樋から流下する雨水を流入させる所定容量の袋状雨水貯溜容器と、前記袋状雨水貯溜容器内が満水になったときに溢れた水を放出するため下水用等のマス内に臨ませたドレンパイプとからなる床下を活用した雨水貯溜装置において、前記袋状雨水貯溜容器を、剛性を有する材料からなり、軸断面半円状となすと共に長さ方向の一方側の端部に排水口を設けた水受け枠内に収容し、該水受け枠を前記排水口が下になるように勾配をつけて設置し、更に前記水受け枠の排水口にパイプの一端側を接続すると共に、該パイプの他端側を下水用等のマス内に臨ませたことを特徴とする雨水貯溜装置にある。
【００１５】
更に具体的には、本考案に係る雨水貯溜装置は、雨樋から流下する雨水を流入させ、これを濾過して清浄にする浄水装置と、床下に配設し、前記浄水装置にパイプを介して接続した所定容量の袋状雨水貯溜容器と、前記袋状雨水貯溜容器にパイプを介して接続した、該袋状雨水貯溜容器内の水を汲み出し、パイプを介して適宜の用途に用いるために送水するポンプと、前記浄水装置に一端側を接続すると共に他端側を下水用等のマス内に臨ませた、前記袋状雨水貯溜容器内が満水になったときに溢れた水を放出するためのドレンパイプとからなる床下を活用した雨水貯溜装置において、前記袋状雨水貯溜容器を、剛性を有する材料からなり、軸断面半円状となすと共に長さ方向の一方側の端部に排水口を設けた水受け枠内に収容し、該水受け枠を前記排水口が下になるように勾配をつけて設置し、更に前記水受け枠の排水口にパイプの一端側を接続すると共に、該パイプの他端側を下水用等のマス内に臨ませたことを特徴とするものである。
【００１６】
また、上記構成において、袋状雨水貯溜容器を複数並設し、該袋状雨水貯溜容器の夫々を浄水装置とポンプに接続するようにしてもよい。
【００１７】
また、上記構成において、防災無線放送を受信する受信装置を備え、防災無線放送から大雨情報が発せられるとポンプを作動させると共にポンプによって送水するパイプの途中部から部帰するパイプの途中部に設けた電磁弁を切り換えて下水用等のマスに放出し、袋状雨水貯溜容器内を空の状態にするようになしてもよい。
【考案の効果】
【００１８】
本考案は上記の如き構成であって、袋状雨水貯溜容器を水受け枠内に収容するものであり、且つまた該水受け枠は軸断面半円状であることから、結露や漏水が内壁を伝わって底部に集まり易く、而も排水口側が低くなるように勾配をつけて設置していることから、排水口側に向けて自然に流れるものであり、袋状雨水貯溜容器の外表面に生じた結露も、また袋状雨水貯溜容器から漏出した水も、水受け枠によって集めて下水用等のマスに流出させることができ、もって上記従来の雨水貯溜装置の問題点を悉く解消することができるものである。
【考案を実施するための最良の形態】
【００１９】
以下、本考案に係る床下を活用した雨水貯溜装置を実施するための最良の形態について、図面を参照して説明する。
【００２０】
図１は本考案の実施形態に係る床下を活用した雨水貯溜装置の説明図、図２は要部の斜視図である。
【００２１】
図中、１は床下を活用した雨水貯溜装置である。２は家屋、３は屋根、４は雨樋である。
【００２２】
５は浄水装置であり、前記雨樋４からパイプ４ａを介して流下する雨水を流入させ、これを濾過して清浄にするものである。また、該浄水装置５は、本実施形態ではタンク状をなして内部に種類の異なる濾材６、７を二層にして充填し、上部側壁に設けた雨水流入口５ａの内部に網状フィルター８を設けている。
【００２３】
９は床下２ａに配設し、前記浄水装置５にパイプ１０を介して接続した所定容量の袋状雨水貯溜容器である。尚、該袋状雨水貯溜容器９は、本実施形態では直径３０ｃｍ、長さ３〜６ｍとしている。そしてまた、本実施形態では斯かる袋状雨水貯溜容器９を５本並設（図示せず。）し、これらを夫々前記浄水装置５と後記ポンプに接続している。
【００２４】
１１は前記袋状雨水貯溜容器９にパイプ１２を介して接続した、該袋状雨水貯溜容器９内の水を汲み出し、パイプ１３を介して適宜の用途に用いるために送水するポンプである。尚、貯溜した雨水は、例えば植物への散水、洗車、道路への水撒き、トイレの洗浄水、初期消化や防火、熱交換器を用いて温水や冷水にし、冷暖房用給湯に用いる等、生活を営む上で必要な様々な用途に用いるものである。また、該ポンプ１１は、１００Ｖの電源によって作動し、スイッチがＯＮの状態であれば自動運転するようになしている。
【００２５】
１４は前記浄水装置５の上部側壁に一端側を接続すると共に他端側を下水用等のマス１５内に臨ませた、前記袋状雨水貯溜容器９内が満水になったときに溢れた水を放出するためのドレンパイプである。
【００２６】
１６は防災無線放送を受信する受信装置であり、１７はその防災無線放送の周波数と合わせた周波数としたアンテナである。１８は前記ポンプ１１によって送水するパイプ１３の途中部から分岐するパイプであり、他端側は前記下水用等のマス１５内に臨ませている。また１９は前記パイプ１８の途中部に設けた電磁弁である。そしてまた、前記受信装置１６と電磁弁１９は適宜の電気配線をもって接続しており、受信装置１６からの信号によって電磁弁１９が適宜作動するようになしている。
【００２７】
以上の構成は前記従来の床下を活用した雨水貯溜装置と同様であり、またその作用も次の通り同様である。
雨水は雨樋４から流下して浄水装置５内に流入し、混入しているゴミ等の不純物が網状フィルター８と濾材６、７によって除去され、清浄にされる。そしてまた、このようにして清浄にされた雨水は、パイプ１０を通って袋状雨水貯溜容器９内に入り、ここで貯溜される。そして、必要があるときにはポンプ１１を作動させ、この貯溜された雨水を汲み出して使用するものである。
【００２８】
また、防災無線放送から大雨警報が発せられると、これを受信した受信装置１６から信号が送られ、電磁弁１９が切り換わる。そして袋状雨水貯溜容器９内の水を汲み出してパイプ１３、１８を経て下水用等のマス１５に放出するものである。これにより袋状雨水貯溜容器９内を空の状態とし、雨水をできる範囲で収容することができるようにするものである。
【００２９】
而して、本実施形態に係る床下を活用した雨水貯溜装置は、上記構成において、前記袋状雨水貯溜容器９を、剛性を有する材料、例えば樹脂（本実施形態では硬質ポリエチレン）、金属等からなり、軸断面半円状となすと共に長さ方向の一方側の端部に排水口２１を設けた水受け枠２０内に収容し、該水受け枠２０を前記排水口２１が下になるように勾配をつけて設置し、更に前記水受け枠２０の排水口２１にパイプ２２の一端側を接続すると共に、該パイプ２２の他端側を下水用等のマス１５内に臨ませたことを特徴とするものである。
【００３０】
次に、本実施形態に係る床下を活用した雨水貯溜装置の作用について説明する。
本実施形態に係る床下を活用した雨水貯溜装置１は、袋状雨水貯溜容器９を水受け枠２０内に収容するものであり、且つまた該水受け枠２０は軸断面半円状であることから、結露や漏水が内壁を伝わって底部に集まり易く、而も排水口２１側が低くなるように勾配をつけて設置していることから、排水口２１側に向けて自然に流れるものであり、袋状雨水貯溜容器９の外表面に生じた結露も、また袋状雨水貯溜容器９から漏出した水も、水受け枠２０によって集めて下水用等のマス１５に流出させることができ、もって上記従来の床下を活用した雨水貯溜装置の問題点を悉く解消することができるものである。
【図面の簡単な説明】
【００３１】
【図１】本考案の実施形態に係る床下を活用した雨水貯溜装置の説明図である。
【図２】同雨水貯溜装置の要部の斜視図である。
【図３】従来の雨水貯溜装置の説明図である。
【符号の説明】
【００３２】
１  雨水貯溜装置
４  雨樋
５  浄水装置
６、７  濾材
８  フィルター
９  袋状雨水貯溜容器
１０  パイプ
１１  ポンプ
１２、１３  パイプ
１４  ドレンパイプ
１５  下水用等のマス
１６  防災無線の受信装置
１７  アンテナ
１８  パイプ
１９  電磁弁
２０  水受け枠
２１  排水口
２２  パイプ
【図１】
0003146708.tif 000003
【図２】
0003146708.tif 000004
【図３】
0003146708.tif 000005